(57)【特許請求の範囲】
【請求項１】
左右方向に間隔をあけて水平な支持桟を並設し、隣り合う支持桟の対向する側面に、天板の端部を載置する天板載置片を一体に設け、上記天板載置片に少なくとも前方に開口した係止溝を設け、天板の前端縁を覆う天板キャップを有すると共に天板キャップに後方に向けて突出する突出片を設け、上記天板キャップの突出片を上記天板載置片の係止溝に挿入係止した状態で上記天板載置片と突出片と天板の端部とを固着具にて固着連結したことを特徴とする天板の取付構造。
【発明の詳細な説明】
【技術分野】
【０００１】
本発明は、天板の取付構造に関するものである。
【背景技術】
【０００２】
従来から、クローゼットのような収納庫の奥壁から前方に所定間隔を隔てた位置で左右方向に間隔を隔てて複数本の支柱を立設し、収納庫の奥行き方向である前後方向に長手方向を向けて配置した天板支持部を支柱の上端に連結し、隣り合う天板支持部間に天板を懸架して取り付けた収納ラックが知られている（例えば、特許文献１参照）。
【０００３】
ところが上記特許文献１に見られる従来例では、例えば図５のように、複数本の支柱１を壁面８から所定の距離だけ離間し且つその壁面８に沿う方向に所定の間隔をおいて立設し、各支柱１の上端部に、天板３を着脱可能に支持するための天板支持部３０を支柱１に対して片持ち状に支持している。さらに、隣り合う天板支持部３０の対向する側面に、断面Ｌ字状の天板受け金具３２を天板支持部３０に対して図６の矢印方向イに引っ掛けた状態でビス１１で固定してから、図７のように天板受け金具３２上に天板３の端部３ａを載置するようにしている。図５中の３３は天板支持部３０の前端部に予め工場で設けられる天板キャップ部であり、９は天板支持部３０の後端部をスライド自在に支持するレール材であり、図７中の１１ａは取付用ビスである。
【０００４】
ところが、従来では天板受け金具３２を別途必要とするため、部品数が増加してコストが高くつくうえに施工に手間がかかるという課題を有している。さらに、天板キャップ部３３は、天板３の前端面とほぼ面一状に配置されるため、この天板キャップ部３３により左右に隣り合う天板３のつなぎ目３１（図７）を隠すことができず、外観が損なわれるという課題も有していた。
【特許文献１】特開２００３−２１９９２１号公報
【発明の開示】
【発明が解決しようとする課題】
【０００５】
本発明は上記の従来の問題点に鑑みて発明したものであって、部品数を削減してコスト低減を図ると共に、天板載置片と天板と天板キャップの固着作業を容易にでき、省施工化を図ることができる天板の取付構造を提供することにある。
【課題を解決するための手段】
【０００６】
上記の課題を解決するために、本発明に係る天板の取付構造は、左右方向Ｃに間隔をあけて水平な支持桟２を並設し、左右に隣り合う支持桟２の対向する側面に、天板３の端部３ａを載置する天板載置片１５を一体に設け、上記天板載置片１５に少なくとも前方Ａに開口した係止溝５を設け、天板３の前端縁３ｂを覆う天板キャップ４を有すると共に天板キャップ４に後方Ｂに向けて突出する突出片６を設け、上記天板キャップ４の突出片６を上記天板載置片１５の係止溝５に挿入係止した状態で上記天板載置片１５と突出片６と天板３の端部３ａとを固着具７にて固着連結したことを特徴としている。
【０００７】
このような構成とすることで、従来の天板受け金具やその取り付けが不要となり、しかも、天板載置片１５に設けた係止溝５に天板キャップ４の突出片６を通すことで天板キャップ４を落下しないようにしながら、固着具７にて天板載置片１５と突出片６と天板３の端部３ａとを共締めできるので、天板載置片１５と天板３と天板キャップ４の固着作業がきわめて容易となる。
【発明の効果】
【０００８】
本発明は、従来の天板受け金具やその取り付けが不要となるので、部品数を削減してコスト低減を図ることができるものであり、さらに天板キャップが落下しないようにしながら固着具にて天板載置片と突出片と天板端部とを固着連結できるので、天板載置片と天板と天板キャップの固着作業を容易にでき、省施工化を図ることができる。
【発明を実施するための最良の形態】
【０００９】
以下、本発明を添付図面に示す実施形態に基いて説明する。
【００１０】
本実施形態は、クローゼットのような大型収納庫の天面に設置する天板３を支柱１の上端部に取り付ける構造を例示する
本例では、図２、図３に示すように、複数本の支柱１を壁面８から所定の距離だけ離間し且つその壁面８に沿う左右方向Ｃに所定の間隔をおいて立設し、各支柱１の上端部に、天板３を着脱可能に支持するための支持桟２を支柱１に対して片持ち状に支持すると共に、各支持桟２の後端部をレール材９に沿って左右方向Ｃにスライド自在に支持しており、支持桟２間の間隔Ｄを調整自在としている。なお、クローゼットの前面には開閉自在な扉（図示せず）が装着される。
【００１１】
ここで、上記隣り合う支持桟２の対向する側面には、図１、図４に示すように、天板３の端部３ａを載置する天板載置片１５が一体に設けられている。本例の支持桟２は垂直片２ａとその下端から突出する左右一対の天板載置片１５とで前面視略逆Ｔ字状に形成されている。各天板載置片１５の上面にはそれぞれ、前方Ａ及び上方Ｅに開口した係止溝５が設けられている。なお、係止溝５は必ずしも天板載置片１５の上面に設けられる必要はなく、例えば、天板載置片１５を前方Ａに開口した中空状にして、その内部を係止溝５としてもよいものであり、少なくとも前方Ａに開口していればよい。
【００１２】
上記天板キャップ４は、上記支持桟２の天板載置片１５の端面を覆った状態で左右に隣り合う天板３の前端縁３ｂに跨る前面視四角形状をしている。天板キャップ４の背面には後方Ｂに向けて突出する左右一対の突出片６が突設されており、各突出片６にはそれぞれビス挿通用凹み１０が設けられている。突出片６を上記天板載置片１５の係止溝５に挿入係止した状態で天板載置片１５と突出片６と天板３の端部３ａとをビス７ａ等のような固着具７にて固着可能となっている。本例では左側の突出片６が支持桟２の左側の係止溝５に挿入可能とされ、右側の突出片６が支持桟２の右側の係止溝５に挿入可能とされる。さらに天板キャップ４の前面部分は支持桟２の前端部全体をカバーする大きさを有している。
【００１３】
しかして、図２のように天板３の左右両端部３ａを左右方向Ｃに隣り合う支持桟２の天板載置片１５上にそれぞれ載置し、その後、図１のように天板キャップ４の突出片６を係止溝５に挿入し、その上に天板３の端部３ａを載置した状態で、下方からビス７ａを天板載置片１５のビス穴、突出片６のビス挿通用凹み１０を通して天板３の下穴に締め込むことによって、天板載置片１５と突出片６と天板３の端部３ａとを共締めする。
【００１４】
従って、従来の天板受け金具３２（図５）やその取り付けが不要となるので、部品数を削減してコスト低減を図ることができると共に、施工にかかる手間を削減でき、省施工化を達成できる。
【００１５】
また天板キャップ４は支持桟２の天板載置片１５の端面を覆った状態で左右に隣り合う天板３の前端縁３ｂに跨る形状をしているので、隣り合う天板３のつなぎ目を天板キャップ４にて覆い隠すことができ、天板３を支持桟２に対して見栄え良く取り付けることができ、外観が良好となる。
【００１６】
さらに、天板載置片１５に係止溝５を設けたので、天板キャップ４の突出片６を係止溝５に通すことで天板キャップ４がビス７ａで取り付ける前に落下しないようにできると共に、天板載置片１５と突出片６と天板３の端部３ａとを共締めできるので、天板載置片１５と天板３と天板キャップ４の固着作業がきわめて容易となり、現場での取り付け作業を手間をかけずに容易に行なえるようになる。そのうえ、係止溝５は天板載置片１５の上面に設けられているので、突出片６が下方から見えず、天板キャップ４の見栄えが一層良くなる。さらに係止溝５は上方Ｅに開口しているので、天板キャップ４の突出片６が係止溝５に入り易くなると共に、固着後は、突出片６が天板３と天板載置片１５との間に挟み込まれて確実に固定され、施工の信頼性が高まる利点がある。
【００１７】
また支持桟２の後端部は壁側に取り付けたレール材９に沿ってスライド自在となっているので、支持桟２間の開口寸法Ｄが調整可能となり、標準サイズ以外の天板３の取り付けに容易に対応できる利点もある。
【００１８】
なお、前記実施形態では、天板キャップ４は、支持桟２の天板載置片１５の端面を覆った状態で支持桟２を挟んで左右に隣り合う天板３の前端縁３ｂをそれぞれ覆う形状を例示したが、載置片１５の端面を覆った状態で左右いずれか一方の天板３の前端縁３ｂのみを覆う形状であってもよい。
【００１９】
本発明の天板３の取付構造は、クローゼット以外に、玄関収納やシステム収納のような収納体の組み立てにも広く適用可能である。
【図面の簡単な説明】
【００２０】
【図１】本発明の一実施形態を示し、（ａ）は天板キャップの取り付け前の状態を示し、（ｂ）は取り付け後の状態を示す斜視図である。
【図２】同上の天板の取り付け作業を説明する斜視図である。
【図３】同上の支柱と支持桟を示す側面図である。
【図４】（ａ）は同上の天板キャップを支持桟に取り付ける状態を説明する側面図であり、（ｂ）は同上の天板の端部及び天板キャップをビス固定する状態を説明する（ａ）のＦ−Ｆ線に沿う断面図である。
【図５】従来の天板の取り付け作業を説明する斜視図である。
【図６】従来の天板受け金具を天板支持部に取り付ける状態の説明図である。
【図７】従来の天板の取付状態の斜視図である。
【符号の説明】
【００２１】
１  支柱
２  支持桟
３  天板
３ａ  天板の端部
３ｂ  天板の前端縁
５  係止溝
６  突出片
７  固着具
１５  天板載置片
Ａ  前方
Ｂ  後方
Ｃ  左右方向
【図１】
0005049191.tif 000002
【図２】
0005049191.tif 000003
【図３】
0005049191.tif 000004
【図４】
0005049191.tif 000005
【図５】
0005049191.tif 000006
【図６】
0005049191.tif 000007
【図７】
0005049191.tif 000008